(57)【要約】【課題】自分が無意識に発生させている音を通知することができる音発生通知装置を提供する。【解決手段】波形データ抽出部４１は、音信号より音を識別するための特徴を示す波形データを抽出する。位置情報取得部３は、音信号が入力された時点の位置情報を取得する。データ比較判定部４２は、波形データと記憶部５に記憶されている波形データとを比較して、両者が一致しないと判定したら、記憶部５に波形データと位置情報とを対応させて登録し、両者が一致すると判定し、かつ、位置情報が、波形データと対応させて登録されている位置情報と異なると判定したら、記憶されている波形データに対応させて、位置情報を記憶部５に追記するよう制御する。通知制御部４４は、記憶部５に、波形データに対応させて所定の数以上の位置情報が登録されたら、音が発生したことをユーザに通知するよう通知装置６を制御する。【選択図】図１
2016156899.tif 000002
【特許請求の範囲】
【請求項１】
入力された音信号より、音を識別するための特徴を示す波形データを抽出する波形データ抽出部と、
音信号が入力された時点の位置情報を取得する位置情報取得部と、
前記波形データ抽出部が抽出した波形データと記憶部に記憶されている波形データとを比較して、両者が一致しないと判定したら、前記記憶部に波形データと前記位置情報取得部が取得した位置情報とを対応させて登録し、両者が一致すると判定し、かつ、前記位置情報取得部が取得した位置情報が、記憶されている波形データと対応させて登録されている位置情報と異なると判定したら、記憶されている波形データに対応させて、前記位置情報取得部が取得した位置情報を前記記憶部に追記するよう制御するデータ比較判定部と、
前記記憶部に、記憶されている波形データに対応させて所定の数以上の位置情報が登録されたら、音が発生したことをユーザに通知するよう通知装置を制御する通知制御部と、
を備えることを特徴とする音発生通知装置。
【請求項２】
前記データ比較判定部は、波形データに対応させて、音信号が入力された時点の時刻情報を前記記憶部に登録するよう制御し、時刻情報に基づいて、前記波形データを有する音信号が、時計の時報音またはアラーム音であるか否かを判定し、
前記通知制御部は、前記データ比較判定部が、前記波形データを有する音信号が、時計の時報音またはアラーム音であると判定したら、時計の時報音またはアラーム音が発生したことをユーザに通知するよう前記通知装置を制御する
ことを特徴とする請求項１記載の音発生通知装置。
【請求項３】
前記データ比較判定部は、入力された音信号が所定の閾値を超える大きさを有し、ユーザが移動中または移動を停止した後の所定時間以内に入力された音信号であるとき、ドアの開閉音であると判定し、
前記通知制御部は、前記データ比較判定部が、入力された音信号がドアの開閉音であると判定したとき、ドアの開閉音が発生したことを通知するよう前記通知装置を制御する
ことを特徴とする請求項１または２に記載の音発生通知装置。
【発明の詳細な説明】
【技術分野】
【０００１】
本発明は、音が発生したことをユーザに通知する音発生通知装置に関する。
【背景技術】
【０００２】
耳の不自由な人に、音が発生したことを通知する音発生通知装置が提案されている（特許文献１参照）。
【先行技術文献】
【特許文献】
【０００３】
【特許文献１】特開平１０−２８２９８５号公報
【発明の概要】
【発明が解決しようとする課題】
【０００４】
従来の音発生通知装置は、予め検出対象の音の特徴を登録しておき、発生した音と登録された音の特徴が一致したときに検出対象の音が発生したと認識して、ユーザに通知するのが一般的である。
【０００５】
耳の不自由な人は、自分が発生させている音に気付かないことがある。よって、自分が発生させている音を音発生通知装置に登録することができない。従来の音発生通知装置は、自分が無意識に発生させている音を通知することができないという問題点がある。
【０００６】
本発明はこのような問題点に鑑み、自分が無意識に発生させている音を通知することができる音発生通知装置を提供することを目的とする。
【課題を解決するための手段】
【０００７】
本発明は、上述した従来の技術の課題を解決するため、入力された音信号より、音を識別するための特徴を示す波形データを抽出する波形データ抽出部と、音信号が入力された時点の位置情報を取得する位置情報取得部と、前記波形データ抽出部が抽出した波形データと記憶部に記憶されている波形データとを比較して、両者が一致しないと判定したら、前記記憶部に波形データと前記位置情報取得部が取得した位置情報とを対応させて登録し、両者が一致すると判定し、かつ、前記位置情報取得部が取得した位置情報が、記憶されている波形データと対応させて登録されている位置情報と異なると判定したら、記憶されている波形データに対応させて、前記位置情報取得部が取得した位置情報を前記記憶部に追記するよう制御するデータ比較判定部と、前記記憶部に、記憶されている波形データに対応させて所定の数以上の位置情報が登録されたら、音が発生したことをユーザに通知するよう通知装置を制御する通知制御部とを備えることを特徴とする音発生通知装置を提供する。
【発明の効果】
【０００８】
本発明の音発生通知装置によれば、自分が無意識に発生させている音を通知することができる。
【図面の簡単な説明】
【０００９】
【図１】各実施形態の音発生通知装置を示すブロック図である。
【図２】第１実施形態の音発生通知装置の動作を示すフローチャートである。
【図３】記憶部に記憶される波形データ及びその付加情報の一例である。
【図４】通知装置に表示される文章の一例を示す図である。
【図５】第２実施形態の音発生通知装置の動作を示す部分的なフローチャートである。
【図６】第２実施形態の音発生通知装置において、時報音が発生したと判定されたときに、通知装置に表示される文章の一例を示す図である。
【図７】第２実施形態の音発生通知装置において、アラーム音が発生したと判定されたときに、通知装置に表示される文章の一例を示す図である。
【図８】第３実施形態の音発生通知装置の動作を示す部分的なフローチャートである。
【図９】第３実施形態の音発生通知装置において、ドアの開閉音が発生したと判定されたときに、通知装置に表示される文章の一例を示す図である。
【図１０】第３実施形態の音発生通知装置において、記憶部に記憶される波形データ及びその付加情報の一例である。
【発明を実施するための形態】
【００１０】
以下、各実施形態の音発生通知装置について、添付図面を参照して説明する。耳の不自由なユーザは、図１に示す各実施形態の音発生通知装置を携帯しているとする。
【００１１】
＜第１実施形態＞
図１において、マイクロホン１は、音発生通知装置の周囲で発生する音を収音して、アナログ音信号を出力する。声は音に含まれる。Ａ／Ｄ変換器２は、入力されたアナログ音信号をデジタル音信号に変換してＣＰＵ（Central Processing Unit）４に供給する。
【００１２】
位置情報取得部３は、音発生通知装置の位置情報を取得してＣＰＵ４に供給する。位置情報取得部３によって、音信号が入力された時点の音発生通知装置の位置情報を取得することができる。
【００１３】
位置情報取得部３は、一例として、全地球航法衛星システム（Global Navigation Satellite System: GNSS）用の複数の衛星からの電波を受信する受信部と、受信した電波に基づいて位置情報を算出する算出部とで構成することができる。GNSSは、一例としてＧＰＳ（Global Positioning System）である。
【００１４】
位置情報取得部３を受信部のみによって構成し、ＣＰＵ４が算出部を構成してもよい。位置情報取得部３は、無線ＬＡＮ（Wi-Fi）のアクセスポイントに基づいて位置情報を取得してもよい。位置情報取得部３は、任意の方法によって位置情報を取得すればよい。
【００１５】
ＣＰＵ４は、機能的な内部構成として、波形データ抽出部４１と、データ比較判定部４２と、時計４３と、通知制御部４４とを有する。波形データ抽出部４１と、データ比較判定部４２と、時計４３と、通知制御部４４とをソフトウェア（コンピュータプログラム）によって構成してもよいし、ハードウェアによって構成してもよい。
【００１６】
ＣＰＵ４によって波形データ抽出部４１と、データ比較判定部４２と、時計４３と、通知制御部４４とを構成する代わりに、ハードウェアで構成した波形データ抽出回路と、データ比較判定回路と、時計と、通知制御回路を用いてもよい。
【００１７】
ソフトウェアとハードウェアとを混在させてもよく、ソフトウェアとハードウェアとの使い分けは任意である。
【００１８】
ＣＰＵ４には、記憶部５と、通知装置６とが接続されている。記憶部５は、フラッシュメモリや等EEPROMによって構成された不揮発性メモリである。通知装置６は、音が発生したことをユーザに通知するためのディスプレイや振動装置である。通知装置６は、ディスプレイと振動装置とを組み合わせたものであってもよい。
【００１９】
通知装置６を構成するディスプレイとして、液晶パネル（ＬＣＤ）やＬＥＤを用いることができる。
【００２０】
波形データ抽出部４１は、入力された音信号より音を識別するための特徴を示す波形データを抽出して、データ比較判定部４２に供給する。データ比較判定部４２は、波形データと、位置情報取得部３が取得した、音信号が入力された時点の位置情報と、時計４３によって計時されている時刻情報とを対応させて記憶部５に記憶させるよう制御する。
【００２１】
データ比較判定部４２は、時計４３によって計時されている時刻情報の代わりに、位置情報取得部３が取得した時刻情報を記憶部５に記憶させてもよい。
【００２２】
通知制御部４４は、データ比較判定部４２によって所定の条件を満たすと判定されたときに、通知装置６によって音が発生したことをユーザに通知するよう制御する。
【００２３】
図２に示すフローチャートを用いて、第１実施形態の音発生通知装置のさらに具体的な動作を説明する。図２において、波形データ抽出部４１は、ステップＳ１にて、入力された音信号の大きさが閾値１以上であるか否かを判定する。閾値１は、比較的小さな値に設定すればよい。
【００２４】
入力された音信号の大きさが閾値１以上であれば（YES）、波形データ抽出部４１は、ステップＳ２にて、音を識別するための特徴を示す波形データを抽出する。入力された音信号の大きさが閾値１以上でなければ（NO）、波形データ抽出部４１は、ステップＳ１の処理を繰り返す。
【００２５】
波形データ抽出部４１は、一例として、入力された音信号をフーリエ変換して、複数の選択された周波数それぞれの音圧レベルを波形データとする。どのような信号を波形データとして抽出するかは任意である。
【００２６】
データ比較判定部４２は、ステップＳ３にて、記憶部５に記憶されている波形データと一致するか否かを判定する。データ比較判定部４２は、新たな波形データと記憶されている波形データとが所定の誤差の範囲内で一致しているとき、両者が一致すると判定すればよい。
【００２７】
新たな波形データと記憶されている波形データとが一致しなければ（NO）、データ比較判定部４２は、ステップＳ７にて、記憶部５に、波形データを新規に登録し、回数情報として１を記録し、波形データに対応させて位置情報と時刻情報とを記録して、処理をステップＳ１に戻す。
【００２８】
記憶部５に波形データが記憶されていない状態では、ステップＳ３にて新たな波形データと記憶されている波形データとが一致しない状態と等価であるので、ステップＳ７の処理が実行されることになる。
【００２９】
新たな波形データと記憶されている波形データとが一致すれば（YES）、データ比較判定部４２は、ステップＳ４にて、位置情報が一致するか否かを判定する。位置情報が一致すれば（YES）、データ比較判定部４２は、ステップＳ８にて、記憶部５に記録されている回数情報を１インクリメントし、時刻情報を追記して、処理をステップＳ１に戻す。
【００３０】
位置情報が一致しなければ（NO）、データ比較判定部４２は、ステップＳ５にて、波形データに対応させて位置情報を新規に登録し、回数情報として１を記録し、時刻情報を記録して、処理をステップＳ６に移行させる。
【００３１】
データ比較判定部４２は、ステップＳ６にて、同一波形データの位置情報が所定の数Ｎ以上となったか否かを判定する。ここでは、Ｎを３とする。Ｎは適宜に設定する任意の自然数であればよい。
【００３２】
同一波形データの位置情報が３以上でなければ（NO）、データ比較判定部４２は、処理をステップＳ１に戻してステップＳ１以降を繰り返す。同一波形データの位置情報が３以上であれば、通知制御部４４は、ステップＳ９にて、通知装置６によって音が発生したことをユーザに通知するよう制御する。
【００３３】
図３は、記憶部５に記憶されている波形データ及びその付加情報の一例を示している。図３に示すように、波形データ１を示す音信号は、位置P001，P002，P003それぞれで１回ずつ、図示する時刻に発生している。
【００３４】
波形データ２を示す音信号は、位置P004で１回、位置P005で２回、図示する時刻に発生している。
【００３５】
図２に示す第１実施形態の動作によれば、波形データ１を示す音信号が位置P003で１５時４５分に発生した時点で、同一波形データの位置情報が３以上という条件を満たす。
【００３６】
よって、通知制御部４４は、図４に示すように、通知装置６に例えば「音が発生しました」という文章を表示させて、ユーザに通知する。通知装置６に図４の文章を表示させるのに併せて、振動装置によって音発生通知装置を振動させることが好ましい。
【００３７】
異なる３つ以上の場所で同じ音信号が発生したということは、ユーザが発生させた音であると推定できる。第１実施形態の音発生通知装置によれば、ユーザが無意識に発生させている音を通知することができる。
【００３８】
なお、第１実施形態の動作のみを実行させる場合には、記憶部５に時刻情報を記録させる必要はない。第１実施形態においては、それぞれの波形データに対応させて、位置情報と回数情報とを記録すればよい。
【００３９】
＜第２実施形態＞
第２実施形態の音発生通知装置は、図２におけるステップＳ９を、図５に示すステップＳ１１〜Ｓ１５に置換したものである。
【００４０】
図５において、データ比較判定部４２は、ステップＳ６に続くステップＳ１１にて、同一波形データの位置情報が３以上という条件を満たした波形データの時刻が正時で１時間間隔であるか否かを判定する。ステップＳ１１にて、時刻が正時であるか否かのみを判定してもよい。
【００４１】
時刻が正時で１時間間隔であれば（YES）、通知制御部４４は、ステップＳ１４にて、通知装置６によって時報音が発生したことをユーザに通知するよう制御して、処理をステップＳ１に戻す。
【００４２】
時刻が正時で１時間間隔でなければ（NO）、データ比較判定部４２は、ステップＳ１２にて、同一波形データの位置情報が３以上という条件を満たした波形データの時刻が毎回同時刻で２４時間間隔であるか否かを判定する。
【００４３】
時刻が毎回同時刻で２４時間間隔であれば（YES）、通知制御部４４は、ステップＳ１５にて、通知装置６によってアラーム音が発生したことをユーザに通知するよう制御して、処理をステップＳ１に戻す。
【００４４】
時刻が毎回同時刻で２４時間間隔でなければ（NO）、通知制御部４４は、ステップＳ１３にて、通知装置６によって何らかの音が発生したことをユーザに通知するよう制御して、処理をステップＳ１に戻す。
【００４５】
ステップＳ１３での音の通知は、図４と同様でよい。ステップＳ１４では、通知制御部４４は、図６に示すように、通知装置６に例えば「時報音が発生しました」という文章を表示させて、ユーザに通知する。通知装置６に図６の文章を表示させるのに併せて、振動装置によって音発生通知装置を振動させることが好ましい。
【００４６】
ステップＳ１５では、通知制御部４４は、図７に示すように、通知装置６に例えば「アラーム音が発生しました」という文章を表示させて、ユーザに通知する。通知装置６に図７の文章を表示させるのに併せて、振動装置によって音発生通知装置を振動させることが好ましい。
【００４７】
第２実施形態によれば、腕時計等でユーザが無意識に発生させている時報音やアラーム音を通知することができる。
【００４８】
＜第３実施形態＞
第３実施形態の音発生通知装置は、図２におけるステップＳ９を、図８に示すステップＳ２１〜Ｓ２４に置換したものである。
【００４９】
図８において、データ比較判定部４２は、ステップＳ６に続くステップＳ２１にて、入力された音信号の大きさが閾値２を超えるか否かを判定する。閾値２は閾値１よりも大きい所定の値とする。閾値２は比較的大きな値とするのがよい。
【００５０】
データ比較判定部４２は、音信号の大きさが閾値２を超えれば（YES）、処理をステップＳ２２に移行させ、超えなければ（NO）、処理をステップＳ２４に移行させる。
【００５１】
データ比較判定部４２は、ステップＳ２２にて、移動中または移動直後に音が発生したか否かを判定する。データ比較判定部４２は、位置情報の変化によって移動中または移動直後であるか否かを判定することができる。移動直後とは、移動を停止した後の所定時間（例えば数秒）以内ということである。
【００５２】
移動中または移動直後に音が発生したと判定されれば（YES）、通知制御部４４は、ステップＳ２３にて、通知装置６によってドアの開閉音が発生したことをユーザに通知するよう制御して、処理をステップＳ１に戻す。
【００５３】
通知制御部４４は、ステップＳ２４にて、通知装置６によって何らかの音が発生したことをユーザに通知するよう制御して、処理をステップＳ１に戻す。
【００５４】
ステップＳ２４での音の通知は、図４と同様でよい。ステップＳ２３では、通知制御部４４は、図９に示すように、通知装置６に例えば「ドアの開閉音が発生しました」という文章を表示させて、ユーザに通知する。通知装置６に図９の文章を表示させるのに併せて、振動装置によって音発生通知装置を振動させることが好ましい。
【００５５】
第３実施形態の動作を実現させるために、図１０に示すように、記憶部５には、音信号の大きさが閾値２を超えるか否かを示すフラグＦ１と、移動中または移動直後に音が発生したことを示すフラグＦ２とを追加して記憶することが好ましい。
【００５６】
フラグＦ１の“０”は音信号の大きさが閾値２を超えていないことを示し、フラグＦ１の“１”は音信号の大きさが閾値２を超えていることを示す。フラグＦ１の“０”は移動中または移動直後に発生した音ではないことを示し、フラグＦ１の“１”は移動中または移動直後に発生した音であることを示す。
【００５７】
波形データ３を示す音信号は、位置P006，P007，P008それぞれで１回ずつ、図示する時刻に発生し、全て音信号の大きさが閾値２を超え、移動中または移動直後に発生した音である。よって、データ比較判定部４２は、波形データ３の音信号をドアの開閉音であると判定する。
【００５８】
本発明は以上説明した第１〜第３実施形態に限定されるものではなく、本発明の要旨を逸脱しない範囲において種々変更可能である。
【符号の説明】
【００５９】
３  位置情報取得部
４１  波形データ抽出部
４２  データ比較判定部
４４  通知制御部
【図１】
2016156899.tif 000003
【図２】
2016156899.tif 000004
【図３】
2016156899.tif 000005
【図４】
2016156899.tif 000006
【図５】
2016156899.tif 000007
【図６】
2016156899.tif 000008
【図７】
2016156899.tif 000009
【図８】
2016156899.tif 000010
【図９】
2016156899.tif 000011
【図１０】
2016156899.tif 000012